(57)【要約】      （修正有）【課題】全開式自体粘着トップスの構造を提供する。【解決手段】主にトップス１、ループ織物２及びフック織物３で構成する全開式自体粘着トップスの構造で、トップス１は少なくとも一つの開口１１を含み、ループ織物２はトップス１の開口１１の位置における一つの片側に設置し、ループ織物２は複合紡績糸によって織られ、且つ開繊処理を行い、複数の細い繊維に展開し、それにより複数の細い繊維の交差部分がループを形成し、フック織物３をトップス１の開口１１位置の別側に設置し、フック織物３はホットメルトの人造繊維の混紡糸で作られ、且つホットメルト人造繊維に対して焼結を行い、それにより、ホットメルト人造繊維の末端は球状末端を形成し、ループ織物２は、フック織物３と互いに対応して結合することができ、それにより開口１１を閉じる或いは開けることで、任意に粘着することができ、且つ脱着が便利である。【選択図】図１
0003217660.tif 000002
【実用新案登録請求の範囲】
【請求項１】
トップス、ループ織物及びフック織物を含み、
トップスは少なくとも一つの開口を含み、
ループ織物は該トップスの開口の位置における一つの片側に設置し、該ループ織物は複合紡績糸によって織られ、且つ開繊処理を行い、複数の細い繊維に展開し、それにより該複数の細い繊維の交差部分がループを形成し、及び、
フック織物を該トップスの開口位置の別側に設置し、該フック織物はホットメルトの人造繊維の混紡糸で作られ、且つ該ホットメルト人造繊維に対して焼結を行い、それにより、ホットメルト人造繊維の末端は球状末端を形成し、
その中、該ループ織物は該フック織物と互いに対応して結合することができ、それにより該開口を閉じる或いは開けることを特徴とする全開式自体粘着トップスの構造。
【請求項２】
前記該開口は該トップスのえり回りから該トップスの袖口、或いは該トップスのすそにまで延伸することを特徴とする請求項１記載の全開式自体粘着トップスの構造。
【請求項３】
前記該ループ織物と該フック織物を該トップスの同じ面、或いは該トップスの異なる面に設置することを特徴とする請求項１記載の全開式自体粘着トップスの構造。
【請求項４】
前記該ループ織物を該トップスの内面に設置し、該フック織物を該トップスの外面或いは該トップスの内面に設置することを特徴とする請求項１記載の全開式自体粘着トップスの構造。
【考案の詳細な説明】
【技術分野】
【０００１】
本考案は一種のトップスに関し、特に任意に粘着することができ、且つ脱着が便利な自体粘着トップスの構造に関する。
【背景技術】
【０００２】
マジックテープ（登録商標）は面ファスナー、ベルクロ（登録商標）などの別名称があり、一種の繊維の特性を利用して物品をしっかり固定する技術である。通常は二つの織物で組成し、一面はフックと呼ばれ、表面にフック状の構造があり、材質は比較的硬い。別面はループと呼ばれ、表面にループ状の構造があり、材質は比較的柔らかい。二つの織物をしっかり押さえると、フックのフック構造は、ループのループ構造に入り込み、物品をしっかり固定する効果に達する。また、離す場合、力を入れてフックとループを剥がせば良い。
【０００３】
マジックテープ（登録商標）は発明されて以来、大変幅広く応用され、自在に使用できるため、人々の服、物品、靴、安全装置などの品物に大量のマジックテープ（登録商標）を使用し、しっかり固定するための解決案としてきた。多数回使用しても、マジックテープ（登録商標）の固定力は尚も信頼できるものである。
【０００４】
その中、マジックテープ（登録商標）の優れた特性により、大量に人々が着る服にも応用された。例えば病院で使用度の高い術衣は、医療行為のニーズにより、患者が着る服は、便利且つ迅速に脱着でき、通気性がよく、快適性を備えた物である必要がある。よって、マジックテープ（登録商標）は大量に病院の術衣に使用されるが、以下の問題は未だ解決されていない。
【０００５】
一、マジックテープ（登録商標）の耐用性を確保するために、マジックテープ（登録商標）の材質はナイロンをセレクトするが、ナイロンの材質は比較的硬いため、術衣を快適に着用することができない。
【０００６】
二、術衣は清潔及び衛生の要求が高く、マジックテープ（登録商標）はフック及びループなどの構造を含み、固定する機能性はあるが、その構造ゆえに汚れが附き易く、細菌の温床になる可能性さえもある。
【０００７】
三、マジックテープ（登録商標）は多数回の使用でも一定の強度で粘着する。しかし、病院の術衣はどれも一時的な使用である。つまり、患者が着用して汚した、或いは退院すれば術衣は交換することがあり、頻繁に洗濯する結果、マジックテープ（登録商標）の強度が弱くなる結果を招く。
【０００８】
四、術衣に別途フック及びループのマジックテープ（登録商標）を縫製する必要があるため、患者の皮膚がフック或いはループのマジックテープ（登録商標）に触れた際、往々にして皮膚アレルギーを起こす、或いは皮が剥けることもあるなどを鑑みて、更なる改善が必要であった。
【先行技術文献】
【特許文献】
【０００９】
【特許文献１】特開２００６−１２２６１５号公報
【考案の概要】
【考案が解決しようとする課題】
【００１０】
前記公知構造の欠点を解決するため、本考案は任意に粘着し、且つ脱着が便利な全開式自体粘着トップスを提供することを主な課題とする。
【課題を解決するための手段】
【００１１】
上述の目的を解決するために、本考案は全開式自体粘着トップスの構造を提供するものである。本考案に含まれるのはトップス、ループ織物及びフック織物である。トップスは少なくとも一つの開口を含む。ループ織物は該トップスの開口の位置における一つの片側に設置し、該ループ織物は複合紡績糸によって織られている。
且つ開繊処理を行い、複数の細い繊維に展開し、それにより該複数の細い繊維の交差部分がループを形成し、及び、フック織物を該トップスの開口位置の別側に設置し、該フック織物はホットメルトの人造繊維の混紡糸で作られ、且つ該ホットメルト人造繊維に対して焼結を行い、それにより、ホットメルト人造繊維の末端は球状末端を形成する。その中、該ループ織物は該フック織物と互いに対応して結合することができ、それにより該開口を閉じる或いは開ける。
【００１２】
一つの最良実施例として、該開口は該トップスのえり回りから該トップスの袖口まで延伸する。
【００１３】
一つの最良実施例として、該開口は該トップスのえり回りから該トップスのすそまで延伸する。
【００１４】
一つの最良実施例として、該ループ織物と該フック織物を該トップスの同じ面に設置する。
【００１５】
一つの最良実施例として、該ループ織物と該フック織物を該トップスの異なる面に設置する。
【００１６】
本考案における該トップスの開口位置の両サイドはそれぞれループ織物及びフック織物を具有するため、該ループ織物は該フック織物と互いに対応して結合することができ、それにより該開口を閉じる或いは開けることができる。よって、本考案は該トップスの該開口を任意に粘着して開ける或いは閉じることができ、便利に脱着できる自体粘着トップスである。
【考案の効果】
【００１７】
本考案の該トップスは少なくとも一つの開口を含み、本考案の該ループ織物は、該フック織物と互いに対応して結合することができ、それにより該開口を閉じる或いは開けることで、任意に粘着することができ、且つ脱着が便利な自体粘着トップスの構造に達する。
【図面の簡単な説明】
【００１８】
【図１】本考案の全開式自体粘着トップスの立体略図である。
【図２】本考案の全開式自体粘着トップスのループ織物及びフック織物の構造略図である。
【図３】本考案の全開式自体粘着トップスのフック織物の構造略図である。
【考案を実施するための形態】
【００１９】
上述の目的及び効果に達するために、本考案が採用する技術手段及び構造は、図面及び最良実施例を参照しながら、詳細に説明する。
【実施例】
【００２０】
図１に示すのは、本考案の全開式自体粘着トップスの立体略図である。図で分かるように、本考案は一種の全開式自体粘着トップスであり、それを人体が着るトップス１に応用している。いわゆるトップス１とは、人体の胸部、背部、腕、臀部、腹部の位置を覆い隠す衣服のことを指す。しかし、実際のニーズに基づき、すそをデザインすることもあり、すそはトップス１から両太ももの位置にまで、もしくは人体のすねの位置にまで延伸することがあるが、それに限られない。
ここの記述は、主に本説明書におけるトップス１の定義をするものである。該全開式自体粘着トップスの主な訴求は、任意に粘着することができ、且つ脱着が便利である。該全開式自体粘着トップスに含まれるのはトップス１、ループ織物２及びフック織物３である(図１を参照)。
【００２１】
該トップス１に含まれるのは一つの開口１１である。いわゆる開口１１とは、開けてトップス１を着る或いは脱ぐのに用いる開口１１を指す。例えば該開口１１は、該トップス１に元ある二つの穴を接続することができるが、それに限られない。
いわゆる穴とは、人体の四肢を入れるところであり、例えば：トップス１のえり回り１２、トップス１の袖口１３及びトップス１の裾１４である。最良実施例として、本実施例では、該開口１１は該トップス１のえり回り１２から該トップス１の袖口１３にまで延伸し、及び該開口１１は該トップス１のえり回り１２から該トップス１のすそ１４にまで延伸するもので、計二つ設置している。
【００２２】
図２から図３に示すのは、図２は本考案の全開式自体粘着トップスのループ織物及びフック織物の構造略図である。図３は本考案の全開式自体粘着トップスのフック織物の構造略図である。
該ループ織物２は該トップス１の開口１１の位置における一つの片側に設置し、該ループ織物２は複合紡績糸によって織られている。且つ開繊処理を行い、複数の細い繊維に展開する。図２に示すように、該複数の細い繊維の交差部分がループ２１を形成する。更に説明をすると、複数の細い繊維が交差する際に、複数個のループ２１が生じる。
【００２３】
該フック織物３を該トップス１の開口１１位置の別側に設置し、該フック織物はホットメルトの人造繊維の混紡糸で作られ、且つ該ホットメルト人造繊維に対して焼結を行う。それにより、図３に示すように、ホットメルト人造繊維の末端は球状末端３１を形成する。更に説明すると、該球状末端３１は、該複数の細い繊維が交差して生じる複数個のループ２１に引っかかるために用いることができる。
【００２４】
その中、該ループ織物２は該フック織物３と互いに対応して結合することができ、それにより該開口１１を閉じる或いは開ける。閉じる際、該ループ織物２を該フック織物３に押し付けることで、球状末端３１は該複数の細い繊維が交差して生じる複数個のループ２１に引っかかり(図に未掲載)、それにより該開口１１を閉じることができる。また、開ける際には、力を入れて直接該ループ織物２及び該フック織物３を引っ張れば開けることができる(図に未掲載)。
【００２５】
最良実施例として、該ループ織物２と該フック織物３は該トップス１の同じ面に位置する。つまり、該ループ織物２と該フック織物３は、該トップス１の同じ面に設置し、互いに接続する必要がある際、該ループ織物２と該フック織物３のうち一つを折り返すことで接続しやすくなる。該ループ織物２と該フック織物３を該トップス１の異なる面に設置する際、つまり、該ループ織物２と該フック織物３を該トップス１の異なる面に設置し、互いに接続する必要がある際、該ループ織物２と該フック織物３は折り返す必要がなく、直接接続することができる。
また、その中、該ループ織物２を該トップス１の内面に設置し、該フック織物３を該トップス１の外面に設置する。該ループ織物２を該トップス１の外面に設置し、該フック織物３を該トップス１の内面に設置する。つまり、該ループ織物２及び該フック織物３を該トップス１の一部の位置にのみ設置することができ、また、該トップス１の内面或いは外面に沢山設置することもでき、制限されない。
【００２６】
上述の構造、組成デザインを介し、本考案の使用作動状況を下記のように説明する：図ではっきり分かるように、本考案の構造により、人々は該トップス１を任意に粘着することで、該開口１１を開ける或いは閉じることができ、脱着しやすい効果に達する。
【００２７】
本考案は従来のマジックテープ（登録商標）製品と比べ、複合紡績糸のみを利用して作られ、プラスティックなど分解しにくい材料を含まず、確実に地球にかける負担を少なくし、エコになる。本考案は従来のマジックテープ（登録商標）製品と比べ、汚れにくく、術衣、病衣など、高い衛生度が要求される環境に特に適用される。
本考案は従来のマジックテープ（登録商標）製品と比べ、長時間、且つ多数回使用しても、粘着度が弱まることがない。本考案は従来のマジックテープ（登録商標）製品と比べ、複合紡績糸で作られているため、快適且つ通気性があり、人が着用するのにより最適である。
【００２８】
更に説明をすると、本考案は前(後)開き、或いはサイド開きの任意な開口１１のいずれのデザインでも、介護者はもっと便利に患者の脱着をサポートしやすく、体を拭くのももっと便利になり、体はよりさっぱりとできる。
本考案の材質は軽くて柔らかく、より体にフィットする。本考案のトップス１は綿の材質で作られ、手触りは柔らかく快適、吸汗性及び速乾性のいずれも優れている。本考案は立体的な裁断を採用し、任意に粘着できるデザインである。
【００２９】
最後に、本考案の全開式自体粘着トップスは、特にシルバー族、長期療養する方、自分で衣服を着るのに困難のある方、術後衣服を着るのに不便な方、パーキンソン病患者(手が無意識に震え、ボタンを合わせられない)、骨折患者、腕を高く上げにくい方、長期寝たきりの患者、中風の患者に適している。
【００３０】
よって、全部の図式に示すように、本考案を使用する際、従来技術と比べ、確実に下記のメリットがある：本考案の全開式自体粘着トップスは、任意に粘着することができ、脱着が便利である。
【００３１】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００３２】
１  トップス
１１      開口
１２      えり回り
１３      袖口
１４      すそ
２  ループ織物
２１      ループ
３  フック織物
３１  球状末端
【図１】
0003217660.tif 000003
【図２】
0003217660.tif 000004
【図３】
0003217660.tif 000005